(57)【特許請求の範囲】
【請求項１】
ホスト機器と情報通信可能に接続される入出力部と、
不揮発性メモリによって情報を記憶する記憶部と、
前記ホスト機器から前記記憶部に対する情報の入出力を制御する制御部とを具備するストレージデバイスであって、
前記制御部は、前記記憶部に設定された第１記憶領域に対して前記ホスト機器による情報の読み出しのみを可能とし、
前記第１記憶領域にはネットワーク設定補助プログラムと、前記ホスト機器が予め決められたＬＡＮの通信ネットワークに接続するために用いるＬＡＮの変更後設定情報とが格納され、
前記ネットワーク設定補助プログラムは、前記ストレージデバイスが前記ホスト機器と接続されると自動的に実行される自動復元部と自動設定部とを含み、
前記自動復元部は、前記ホスト機器がＬＡＮの通信ネットワークに接続するために格納しているＬＡＮの変更前設定情報を前記ホスト機器からアクセス可能な所定のバックアップ領域に保存し、
前記自動設定部は、前記ホスト機器の前記変更前設定情報を前記変更後設定情報に変更し、
前記ネットワーク設定補助プログラムは更に、前記ホスト機器に対する所定の操作に応答して前記変更後設定情報を前記バックアップ領域に保存された前記変更前設定情報に戻す復元処理を実行する復元部を含む
ストレージデバイス。
【請求項２】
請求項１に記載されたストレージデバイスであって、
前記制御部は前記記憶部に対する情報の入出力を前記第１記憶領域と前記記憶部に設定された第２記憶領域とに区分して制御し、
前記制御部は、前記ホスト機器による前記第２記憶領域に対する情報の読み出し及び書き込みを禁止し、
前記ストレージデバイスは更に、アクセスコード情報を記憶するアクセスコード記憶領域を具備し、
前記第１記憶領域には更に、前記ストレージデバイスが前記ホスト機器と接続されると自動的に実行される認証プログラムが格納され、
前記認証プログラムは、前記第２記憶領域に予め格納された秘匿アクセスコード情報を前記アクセスコード記憶領域の前記アクセスコード情報と照合することによって前記ストレージデバイスの認証を行う認証部とを具備し、
前記ネットワーク設定補助プログラムは、前記認証が成功したことを条件として実行される
ストレージデバイス。
【請求項３】
請求項２に記載されたストレージデバイスであって、
前記制御部は、前記ホスト機器から前記記憶部に対する情報の入出力を前記第１記憶領域と第３記憶領域とに区分して制御し、
前記制御部は、前記ホスト機器による前記第３記憶領域に対する情報の読み出し及び書き込みを可能とし、
前記ストレージデバイスは、前記第３記憶領域をＵＳＢ（Ｕｎｉｖｅｒｓａｌ  Ｓｅｒｉａｌ  Ｂｕｓ）メモリとして前記ホスト機器に認識させ、
前記アクセスコード情報は、前記第１記憶領域と前記第２記憶領域との少なくとも一方へのアクセスを許可するためのアクセスコードである
ストレージデバイス。
【請求項４】
請求項２又は３に記載されたストレージデバイスであって、
前記第１記憶領域には、ユーザＩＤを用いた認証によって閲覧できるウェブページのアドレスが格納され、
前記第２記憶領域には、前記ストレージデバイスを個別に特定するユーザＩＤが格納され、
前記ネットワーク設定補助プログラムは、前記ストレージデバイスが前記ホスト機器と接続されると自動的に実行され、前記ホスト機器によって実行され、前記アドレスに示されるウェブページにアクセスして前記ユーザＩＤを自動的に入力するウェブページ閲覧部を更に含む
ストレージデバイス。
【請求項５】
請求項１から４のいずれかに記載されたストレージデバイスであって、
前記ネットワーク設定補助プログラムは更に、前記ストレージデバイスが前記ホスト機器と接続されると自動的に実行され、前記ホスト機器の動作環境として動作しているＯＳの種類を示すＯＳ情報を取得するＯＳ自動認識部を具備し、
前記自動設定部は、前記ホスト機器の前記変更前設定情報を、前記ＯＳ情報に応じた前記変更後設定情報に変更する
ストレージデバイス。
【請求項６】
請求項１から５のいずれかに記載されたストレージデバイスであって、
前記第１記憶領域には、前記ホスト機器と前記通信ネットワークとの接続が有線であるか無線であるかを示す有線／無線情報が予め登録され、
前記第１記憶領域には更に、前記ホスト機器と前記通信ネットワークとの接続が有線である場合の前記変更後設定情報である有線変更後設定情報と、無線である場合の前記変更後設定情報である無線変更後設定情報とが格納され、
前記自動設定部は、前記ホスト機器の前記変更前設定情報を、前記有線／無線情報に応じた前記有線変更後設定情報と前記無線変更後設定情報とのいずれか一方に変更する
ストレージデバイス。
【請求項７】
請求項１から６のいずれかに記載されたストレージデバイスであって、
前記復元部は、前記ストレージデバイスが前記ホスト機器と接続されたときに、前記ホスト機器のＧＵＩ（Ｇｒａｐｈｉｃａｌ  Ｕｓｅｒ  Ｉｎｔｅｒｆａｃｅ）のデスクトップ上に復元用アイコンを表示し、
前記復元処理は、前記ホスト機器の入力装置により前記復元用アイコンが押下されたときに実行される
ストレージデバイス。
【請求項８】
請求項１から６のいずれかに記載されたストレージデバイスであって、
前記復元部は、前記ストレージデバイスが前記ホスト機器から取り外されたときに、自動的に前記復元処理を実行する
ストレージデバイス。
【請求項９】
ホスト機器と情報通信可能に接続される入出力部と、
不揮発性メモリによって情報を記憶する記憶部と、
前記ホスト機器から前記記憶部に対する情報の入出力を制御する制御部とを具備するストレージデバイスを用いた前記ホスト機器のネットワーク接続の設定方法であって、
前記制御部は、前記記憶部に設定された第１記憶領域に対して前記ホスト機器による情報の読み出しのみを可能とし、
前記第１記憶領域にはネットワーク設定補助プログラムと、前記ホスト機器が予め決められたＬＡＮの通信ネットワークに接続するために用いるＬＡＮの変更後設定情報とが格納され、
前記設定方法は、
前記ホスト機器がＬＡＮの通信ネットワークに接続するために格納しているＬＡＮの変更前設定情報を前記ホスト機器からアクセス可能な所定のバックアップ領域に保存する工程と、
前記ホスト機器の前記変更前設定情報を前記変更後設定情報に変更する工程と、
前記ホスト機器に対する所定の操作に応答して前記変更後設定情報を前記バックアップ領域に保存された前記変更前設定情報に戻す復元処理を実行する工程とを有する
ネットワーク接続の設定方法。
【請求項１０】
ホスト機器と情報通信可能に接続される入出力部と、
不揮発性メモリによって情報を記憶する記憶部と、
前記ホスト機器から前記記憶部に対する情報の入出力を制御する制御部とを具備するストレージデバイスであって、
前記制御部は、前記記憶部に設定された第１記憶領域に対して前記ホスト機器による情報の読み出しのみを可能とし、
前記第１記憶領域にはネットワーク設定補助プログラムと、前記ホスト機器が予め決められたＬＡＮの通信ネットワークに接続するために用いるＬＡＮの変更後設定情報とが格納され、
前記ネットワーク設定補助プログラムは、前記ストレージデバイスが前記ホスト機器と接続されると自動的に実行される自動設定部を含み、
前記自動設定部は、前記ホスト機器がＬＡＮの通信ネットワークに接続するための情報として前記変更後設定情報を設定し、
前記制御部は前記記憶部に対する情報の入出力を前記第１記憶領域と前記記憶部に設定された第２記憶領域とに区分して制御し、
前記制御部は、前記ホスト機器による前記第２記憶領域に対する情報の読み出し及び書き込みを禁止し、
前記ストレージデバイスは更に、アクセスコード情報を記憶するアクセスコード記憶領域を具備し、
前記第１記憶領域には更に、前記ストレージデバイスが前記ホスト機器と接続されると自動的に実行される認証プログラムが格納され、
前記認証プログラムは、前記第２記憶領域に予め格納された秘匿アクセスコード情報を前記アクセスコード記憶領域の前記アクセスコード情報と照合することによって前記ストレージデバイスの認証を行う認証部とを具備し、
前記ネットワーク設定補助プログラムは、前記認証が成功したことを条件として実行される
ストレージデバイス。
【請求項１１】
ホスト機器と情報通信可能に接続される入出力部と、
不揮発性メモリによって情報を記憶する記憶部と、
前記ホスト機器から前記記憶部に対する情報の入出力を制御する制御部とを具備するストレージデバイスを用いた前記ホスト機器のネットワーク接続の設定方法であって、
前記制御部は、前記記憶部に設定された第１記憶領域に対して前記ホスト機器による情報の読み出しのみを可能とし、
前記第１記憶領域にはネットワーク設定補助プログラムと、前記ホスト機器が予め決められたＬＡＮの通信ネットワークに接続するために用いるＬＡＮの変更後設定情報とが格納され、
前記制御部は前記記憶部に対する情報の入出力を前記第１記憶領域と前記記憶部に設定された第２記憶領域とに区分して制御し、
前記制御部は、前記ホスト機器による前記第２記憶領域に対する情報の読み出し及び書き込みを禁止し、
前記ストレージデバイスは更に、アクセスコード情報を記憶するアクセスコード記憶領域を具備し、
前記第１記憶領域には更に、前記ストレージデバイスが前記ホスト機器と接続されると自動的に実行される認証プログラムが格納され、
前記設定方法は更に、前記第２記憶領域に予め格納された秘匿アクセスコード情報を前記アクセスコード記憶領域の前記アクセスコード情報と照合することによって前記ストレージデバイスの認証を行う工程と、
前記認証が成功したことを条件として、前記ホスト機器がＬＡＮの通信ネットワークに接続するための情報として前記変更後設定情報を設定する工程とを具備する
ネットワーク接続の設定方法。
【発明の詳細な説明】
【技術分野】
【０００１】
本発明は、通信ネットワーク接続の設定を行う技術に関する。
【背景技術】
【０００２】
ネットワークインフラの普及拡大と、インターネットサービスの高度化に伴い、外出先（出張先）においてもメール確認等が必要となる場面が多くなっている。特に、ビジネスホテルなどを選択する際、客室からインターネット接続ができることは重要なポイントである。各宿泊施設においては、客室にネットワーク配線を敷設したり（有線ＬＡＮ）、各フロアに無線ＬＡＮ用アクセスポイントを設置することで、インターネットを利用するためのサービスを提供している。
【０００３】
特許文献１には、インターネット設定プログラム及びネットワーク設定記憶媒体が記載されている。この技術は、ユーザにおいて難しいパソコンの知識を要さずに、簡易にインターネット接続、メール接続などのネットワーク設定をすることを可能にすることを目的とする。特許文献２及び特許文献３については後述する。
【先行技術文献】
【特許文献】
【０００４】
【特許文献１】特開２００８−２３４４３８号公報
【特許文献２】特開２００４−５４８９６号公報
【特許文献３】特開２００８−２１０２２０号公報
【発明の概要】
【発明が解決しようとする課題】
【０００５】
ビジネスホテル等で通信ネットワーク環境を提供するサービスを行っている場合、コンピュータの知識に乏しい利用者への対応（サポート）業務のために、通常のフロント業務以外の負担がかかっている。また、メーカーやサポート専門の業者に対応を委託する場合、無料で提供するサービスのためにコストがかかるという現象が発生してしまう。
【０００６】
コンピュータの知識に乏しい利用者であっても簡単にネットワーク接続の設定を行うことを可能とする技術が望まれる。
【課題を解決するための手段】
【０００７】
以下に、［発明を実施するための形態］で使用される番号を括弧付きで用いて、課題を解決するための手段を説明する。これらの番号は、［特許請求の範囲］の記載と［発明を実施するための形態］との対応関係を明らかにするために付加されたものである。ただし、それらの番号を、［特許請求の範囲］に記載されている発明の技術的範囲の解釈に用いてはならない。
【０００８】
ＵＳＢ接続され不揮発性メモリを備えるデバイスは、ホスト機器からＵＳＢフラッシュメモリとして認識される記憶領域（３０）以外に、ＣＤ−ＲＯＭとして認識される記憶領域（４０）と、ホスト機器から見えない秘匿領域（５０）とを有する。ホストに接続されると、ＣＤ−ＲＯＭ領域のプログラムがオートランし、ホストの通信接続設定をバックアップして、本デバイスが予め記憶する通信接続の設定に変更する。本デバイスを引き抜くなどの所定の操作を行うと、ホストはバックアップされた元の設定に戻る。秘匿領域に予め格納されたデータをＣＤ−ＲＯＭ領域のプログラムで参照することにより、不正コピー品でないことがチェックされる。
【０００９】
より詳しくは、本発明の一側面において、ストレージデバイス（１７）は、ホスト機器（１１）と情報通信可能に接続される入出力部と、不揮発性メモリによって情報を記憶する記憶部（２５）と、ホスト機器（１１）から記憶部（２５）に対する情報の入出力を制御する制御部とを備える。制御部は、記憶部（２５）に設定された第１記憶領域（４０）に対してホスト機器（１１）による情報の読み出しのみを可能とする。第１記憶領域（４０）にはネットワーク設定補助プログラム（４２）と、ホスト機器（１１）が予め決められた通信ネットワークに接続するために用いる変更後設定情報とが格納される。ネットワーク設定補助プログラム（４２）は、ストレージデバイス（１７）がホスト機器（１１）と接続されると自動的に実行される自動復元部（６２）と自動設定部（６１）とを含む。自動復元部（６２）は、ホスト機器（１１）が通信ネットワークに接続するために格納している変更前設定情報をホスト機器（１１）からアクセス可能な所定のバックアップ領域に保存する。自動設定部（６１）は、ホスト機器（１１）の変更前設定情報を変更後設定情報に変更する。ネットワーク設定補助プログラム（４２）は更に、ホスト機器（１１）に対する所定の操作に応答して変更後設定情報をバックアップ領域に保存された変更前設定情報に戻す復元処理を実行する復元部（６２）を含む。
【００１０】
このようなストレージデバイスによれば、例えばユーザが職場で使用しているコンピュータを出張先のビジネスホテルに持っていった場合に、ホテルから提供されたストレージデバイスをコンピュータ（ホスト）に接続することで、職場でのネットワーク接続の設定をホテルのネットワーク接続の設定に変更することが容易にできる。復元部の動作により、出張が終わって職場の設定に復元することも容易である。
【００１１】
本発明の他の側面において、制御部は記憶部（２５）に対する情報の入出力を第１記憶領域（４０）と記憶部（２５）に設定された第２記憶領域（５０）とに区分して制御する。制御部は、ホスト機器（１１）による第２記憶領域（５０）に対する情報の読み出し及び書き込みを禁止する。ストレージデバイス（１７）は更に、アクセスコード情報を記憶するアクセスコード記憶領域（２９）を備える。第１記憶領域（４０）には更に、ストレージデバイス（１７）がホスト機器（１１）と接続されると自動的に実行される認証プログラムが格納される。認証プログラムは、第２記憶領域（５０）に予め格納された秘匿アクセスコード情報をアクセスコード記憶領域（２９）のアクセスコード情報と照合することによってストレージデバイス（１７）の認証を行う認証部（４４）とを備える。ネットワーク設定補助プログラム（４２）は、認証が成功したことを条件として実行される。
【００１２】
このようなストレージデバイスは、ＰＣによってデータ内容をコピーして他のストレージデバイスに複製した場合、第２記憶領域の情報が複製されない。そのため認証が成功せず、複製品を使用することができなくなる。その結果、ストレージデバイスのベンダー側の者の手を経ていない不正コピー品を防ぐことができる。
【００１３】
本発明の更に他の側面において、制御部は、ホスト機器（１１）から記憶部（２５）に対する情報の入出力を第１記憶領域（４０）と第３記憶領域（３０）とに区分して制御する。制御部は、ホスト機器（１１）による第３記憶領域（３０）に対する情報の読み出し及び書き込みを可能とする。ストレージデバイス（１７）は、第３記憶領域（３０）をＵＳＢ（Ｕｎｉｖｅｒｓａｌ  Ｓｅｒｉａｌ  Ｂｕｓ）メモリとしてホスト機器（１１）に認識させる。アクセスコード情報は、第１記憶領域と第２記憶領域との少なくとも一方へのアクセスを許可するためのアクセスコードである。
【００１４】
このようなストレージデバイスは、メーカーが出荷するときに、ＵＳＢメモリの製品の記憶領域へのアクセスを許可するためのアクセスコードを付与する。そのアクセスコードを第２記憶領域（秘匿領域）の秘匿アクセスコード情報（アクセスコード）と照合することにより、不正チェックを行うことができる。
【００１５】
本発明の更に他の側面において、第１記憶領域（４０）には、ユーザＩＤを用いた認証によって閲覧できるウェブページのアドレスが格納される。第２記憶領域（５０）には、ストレージデバイス（１７）を個別に特定するユーザＩＤが格納される。ネットワーク設定補助プログラム（４２）は、ストレージデバイス（１７）がホスト機器（１１）と接続されると自動的に実行され、ホスト機器（１１）によって実行され、アドレスに示されるウェブページにアクセスしてユーザＩＤを自動的に入力するウェブページ閲覧部を更に含む。
【００１６】
このようなストレージデバイスにより、例えば予めホテル等の会員登録をしているユーザに対して、ネットワーク設定を行うと共に専用ウェブページへのアクセス許可を与えることができる。
【００１７】
本発明の更に他の側面において、ネットワーク設定補助プログラム（４２）は更に、ストレージデバイス（１７）がホスト機器（１１）と接続されると自動的に実行され、ホスト機器（１１）の動作環境として動作しているＯＳ（１２）の種類を示すＯＳ情報を取得するＯＳ自動認識部（６４）を備える。自動設定部（６１）は、ホスト機器（１１）の変更前設定情報を、ＯＳ情報に応じた変更後設定情報に変更する。
【００１８】
このようなストレージデバイスにより、ユーザが使用している端末装置のＯＳの種類を設定する手間を省略することができる。
【００１９】
本発明の更に他の側面において、第１記憶領域（４０）には、ホスト機器（１１）と通信ネットワークとの接続が有線であるか無線であるかを示す有線／無線情報が予め登録される。第１記憶領域（４０）には更に、ホスト機器（１１）と通信ネットワークとの接続が有線である場合の変更後設定情報である有線変更後設定情報と、無線である場合の変更後設定情報である無線変更後設定情報とが格納される。自動設定部（６１）は、ホスト機器（１１）の変更前設定情報を、有線／無線情報に応じた有線変更後設定情報と無線変更後設定情報とのいずれか一方に変更する。
【００２０】
このようなストレージデバイスにより、サービス提供場所の通信環境が有線の場合と無線の場合とに対応することが容易となる。
【００２１】
本発明の更に他の側面において、復元部（６２）は、ストレージデバイス（１７）がホスト機器（１１）と接続されたときに、ホスト機器（１１）のＧＵＩ（Ｇｒａｐｈｉｃａｌ  Ｕｓｅｒ  Ｉｎｔｅｒｆａｃｅ）のデスクトップ上に復元用アイコンを表示する。復元処理は、ホスト機器（１１）の入力装置により復元用アイコンが押下されたときに実行される。
【００２２】
ユーザは、例えば出張先で本デバイスを使用して返却し、帰社してからでも、復元用アイコンを押下することによって簡単に設定を元に戻すことができる。
【００２３】
本発明の更に他の側面において、復元部（６２）は、ストレージデバイス（１７）がホスト機器（１１）から取り外されたときに、自動的に復元処理を実行する。
【００２４】
ホストにストレージデバイスを取り付けたときにサービス提供場所の設定となり、取り外したときに元の設定に戻るため、操作が直感的に分かりやすい。
【００２５】
本発明の一側面におけるネットワーク接続の設定方法は、ホスト機器（１１）と情報通信可能に接続される入出力部と、不揮発性メモリによって情報を記憶する記憶部（２５）と、ホスト機器（１１）から記憶部（２５）に対する情報の入出力を制御する制御部とを具備するストレージデバイス（１７）を用いたホスト機器（１１）のネットワーク接続の設定方法である。制御部は、記憶部（２５）に設定された第１記憶領域（４０）に対してホスト機器（１１）による情報の読み出しのみを可能とする。第１記憶領域（４０）にはネットワーク設定補助プログラム（４２）と、ホスト機器（１１）が予め決められた通信ネットワークに接続するために用いる変更後設定情報とが格納される。設定方法は、ホスト機器（１１）が通信ネットワークに接続するために格納している変更前設定情報をホスト機器（１１）からアクセス可能な所定のバックアップ領域に保存する工程と、ホスト機器（１１）の変更前設定情報を変更後設定情報に変更する工程と、ホスト機器（１１）に対する所定の操作に応答して変更後設定情報をバックアップ領域に保存された変更前設定情報に戻す復元処理を実行する工程とを有する。
【００２６】
本発明の一側面におけるストレージデバイス（１７）は、ホスト機器（１１）と情報通信可能に接続される入出力部と、不揮発性メモリによって情報を記憶する記憶部（２５）と、ホスト機器（１１）から記憶部（２５）に対する情報の入出力を制御する制御部とを備える。制御部は、記憶部（２５）に設定された第１記憶領域（４０）に対してホスト機器（１１）による情報の読み出しのみを可能とする。第１記憶領域（４０）にはネットワーク設定補助プログラム（４２）と、ホスト機器（１１）が予め決められた通信ネットワークに接続するために用いる変更後設定情報とが格納される。ネットワーク設定補助プログラム（４２）は、ストレージデバイス（１７）がホスト機器（１１）と接続されると自動的に実行される自動設定部（６１）を含む。自動設定部（６１）は、ホスト機器（１１）が通信ネットワークに接続するための情報として変更後設定情報を設定する。制御部は記憶部（２５）に対する情報の入出力を第１記憶領域（４０）と記憶部（２５）に設定された第２記憶領域（５０）とに区分して制御する。制御部は、ホスト機器（１１）による第２記憶領域（５０）に対する情報の読み出し及び書き込みを禁止する。ストレージデバイス（１７）は更に、アクセスコード情報を記憶するアクセスコード記憶領域を備える。第１記憶領域（４０）には更に、ストレージデバイス（１７）がホスト機器（１１）と接続されると自動的に実行される認証プログラムが格納される。認証プログラムは、第２記憶領域（５０）に予め格納された秘匿アクセスコード情報をアクセスコード記憶領域のアクセスコード情報と照合することによってストレージデバイス（１７）の認証を行う認証部（４４）とを備える。ネットワーク設定補助プログラム（４２）は、認証が成功したことを条件として実行される。
【００２７】
このようなストレージデバイスでは、第２記憶領域（５０）に予め格納されたアクセスコード（秘匿アクセスコード情報）を予めハードウェアメーカーによりＵＳＢメモリの所定の記憶領域に埋め込まれたアクセスコードと照合することによって、ストレージデバイスの認証が行われる。このようなストレージデバイスによれば、例えば新たに通信回線を契約した場合などに、コンピュータに詳しくない者でも容易にＰＣ等を通信ネットワークに接続することができる。更に認証により、不正コピーを防止することができる。
【００２８】
本発明の一側面におけるネットワーク接続の設定方法は、ホスト機器（１１）と情報通信可能に接続される入出力部と、不揮発性メモリによって情報を記憶する記憶部（２５）と、ホスト機器（１１）から記憶部（２５）に対する情報の入出力を制御する制御部とを備えるストレージデバイス（１７）を用いたホスト機器（１１）のネットワーク接続の設定方法である。制御部は、記憶部（２５）に設定された第１記憶領域（４０）に対してホスト機器（１１）による情報の読み出しのみを可能とする。第１記憶領域（４０）にはネットワーク設定補助プログラム（４２）と、ホスト機器（１１）が予め決められた通信ネットワークに接続するために用いる変更後設定情報とが格納される。制御部は記憶部（２５）に対する情報の入出力を第１記憶領域（４０）と記憶部（２５）に設定された第２記憶領域（５０）とに区分して制御する。制御部は、ホスト機器（１１）による第２記憶領域（５０）に対する情報の読み出し及び書き込みを禁止する。ストレージデバイス（１７）は更に、アクセスコード情報を記憶するアクセスコード記憶領域を備える。第１記憶領域（４０）には更に、ストレージデバイス（１７）がホスト機器（１１）と接続されると自動的に実行される認証プログラムが格納される。設定方法は更に、第２記憶領域（５０）に予め格納された秘匿アクセスコード情報をアクセスコード記憶領域のアクセスコード情報と照合することによってストレージデバイス（１７）の認証を行う工程と、認証が成功したことを条件として、ホスト機器（１１）が通信ネットワークに接続するための情報として変更後設定情報を設定する工程とを備える。
【発明の効果】
【００２９】
本発明により、コンピュータの知識に乏しい利用者であっても簡単にネットワーク接続の設定を行うことを可能とする技術が提供される。
【図面の簡単な説明】
【００３０】
【図１】図１は、ホスト機器とストレージデバイスの構成を示す。
【図２】図２は、ストレージデバイスの構成を示す。
【図３】図３は、ネットワーク設定補助プログラムの構成を示す。
【図４】図４は、ネットワーク接続の設定手順を示す。
【図５】図５は、ネットワーク接続の設定を復元する手順を示す。
【図６】図６は、ネットワーク接続の設定を復元する手順を示す。
【発明を実施するための形態】
【００３１】
以下、図面を参照して本発明の実施形態について説明する。本実施形態においては、発明を実施するために、ＵＤＲＷ（株式会社ハギワラシスコムの登録商標）をストレージデバイスとして用いることができる。本実施形態におけるストレージデバイスは、例えばビジネスホテルが用意し、ネットワーク接続サービスを希望する宿泊客に対して貸し出される。
【００３２】
ＵＤＲＷデバイスは、ＵＳＢ（Ｕｎｉｖｅｒｓａｌ  Ｓｅｒｉａｌ  Ｂｕｓ）によってホスト機器と接続されるストレージデバイスである。このストレージデバイスはフラッシュメモリによってデータを保存する。ＵＤＲＷデバイスのフラッシュメモリは、記憶領域としてリムーバブル領域とＣＤ−ＲＯＭ領域とを備える。これらの領域は、ホスト機器から見ると、ＵＳＢメモリとＣＤ−ＲＯＭとの２ドライブとして認識される。
【００３３】
ＵＤＲＷデバイスのフラッシュメモリは更に、ホスト機器のＯＳから見えない記憶領域（秘匿領域）を保有している。ホスト機器から秘匿領域に対してデータのリード及びライトを行うためには、メーカーが提供する専用プログラムを用いる必要がある。秘匿領域にプロテクトキーやパスワードなどの情報を格納することにより、機密性を確保することができる。
【００３４】
図１は、特許文献２に記載のＵＳＢストレージデバイスの構成を示す。本実施形態におけるストレージデバイスも、このような構成によって実現することができる。ＵＳＢストレージデバイス１７は、ＵＳＢバス１６を介して、ホスト１１に接続される。ホスト１１は、ＰＣ（パーソナルコンピュータ）等のホスト機器である。
【００３５】
ホスト１１は、ソフトウェアとして、オペレーションシステム１２、ディスクドライブドライバ１３及びＵＳＢマスストレージクラスドライバ１４を備え、ハードウェアとしてＵＳＢホストコントローラ１５を少なくとも備える。
【００３６】
オペレーションシステム１２は、ホスト１１の動作環境を提供するソフトウェアであり、例えばＷｉｎｄｏｗｓ（登録商標）やＭａｃ  ＯＳ  Ｘ（登録商標）等である。ディスクドライブドライバ１３は、オペレーションシステム１２から受け取った記憶装置へのアクセス指令等をＳＣＳＩコマンド変換してＵＳＢマスストレージクラスドライバ１４に渡すとともに、ＵＳＢマスストレージクラスドライバ１４から指令等を受け取りオペレーションシステム１２に渡す。ＵＳＢマスストレージクラスドライバ１４は、ＵＳＢホストコントローラ１５を制御する。ＵＳＢホストコントローラ１５は、図示しないＵＳＢコネクタを備え、他の装置のＵＳＢコネクタとケーブルによって接続されることによって、ＵＳＢ規格に基づいた通信を行うことができる。
【００３７】
ＵＳＢストレージデバイス１７は、ＵＳＢインターフェース１９とコントローラ２１とＬＥＤ２３とフラッシュメモリ２５とを備える。ＵＳＢインターフェース１９はホスト１１と情報通信可能に接続される入出力部であり、ＵＳＢバス１６を介してホスト１１と通信を行う機能を担う。ＵＳＢインターフェース１９は、パケット送受信部１９ａとシリアルパラレル変換部１９ｂとパケット生成分解部１９ｃとＵＳＢバスパワー制御部１９ｄとを備える。パケット送受信部１９ａは、図示しないＵＳＢコネクタと接続され、ＵＳＢ規格に基づいたパケットをホスト１１と送受信する。シリアルパラレル変換部１９ｂは、シリアルデータとパラレルデータとを相互に変換する。パケット生成分解部１９ｃは、ホスト１１と通信を行うためのパケットの生成及びパケットを分解してデータの取り出しを行う。ＵＳＢバスパワー制御部１９ｄは、ホスト１１から供給される電力の管理及びＵＳＢストレージデバイス１７の各部位への電力の配分を行う。
【００３８】
コントローラ２１は、メモリ制御部２１ａとＵＳＢインターフェース制御部２１ｂとメモリ情報記憶部２１ｃとＬＥＤ制御部２１ｄとを備える。メモリ制御部２１ａは、フラッシュメモリ２５に対してデータの読み出し、書き込み及び削除を実行する。ＵＳＢインターフェース制御部２１ｂは、前述したＵＳＢインターフェース１９の各部を制御する。メモリ情報記憶部２１ｃは、フラッシュメモリ２５の領域に関する情報を記憶する。
【００３９】
ＬＥＤ２３は、フラッシュメモリ２５に対して情報の読み出し、書き込み及び削除が実行されている際に点灯する発光体であり、ＬＥＤ制御部２１ｄによって制御される。
【００４０】
フラッシュメモリ２５は、記憶保持動作が不要な不揮発性の半導体メモリである。記憶したデータは、メモリ制御部２１ａによって読み出すことが可能である。また、メモリ制御部２１ａによって書き込み及び削除をすることもできる。フラッシュメモリ２５に替えて他の不揮発性メモリを用いても、本実施形態におけるストレージデバイスと同様の動作を実現することができる。
【００４１】
図２は、フラッシュメモリ２５の記憶領域を示す。メモリ制御部２１ａは、メモリ情報記憶部２１ｃに格納された情報に基づいて、フラッシュメモリ２５を図２に示す第１、第２及び第３の記憶領域であるＣＤ−ＲＯＭ領域４０、秘匿領域５０及びリムーバブル領域３０に区分して制御する。これらは物理的な実体としては、同種の構造を有するメモリセルによって形成することができる。このようにホスト側からの操作性の異なる３つの記憶領域を有するデバイスは、例えば特許文献３に記載されている。
【００４２】
フラッシュメモリ２５は、ヘッダ２９、リムーバブル領域３０、ＣＤ−ＲＯＭ領域４０及び秘匿領域５０を有する。ヘッダ２９はアクセスコード情報を記憶するアクセスコード記憶領域であり、出荷前に予めベンダーＩＤ、プロダクトＩＤ、シリアル番号などが格納される。これらはホスト１１から書き換えできないデータである。ベンダーＩＤは、ＵＳＢストレージデバイス１７のメーカーに対して割り当てられ、メーカーを個別に特定する識別子である。プロダクトＩＤは、ＵＳＢストレージデバイス１７の製品の種類を特定するために割り当てられる識別子である。シリアル番号は、個々のＵＳＢストレージデバイス１７を個別に特定するために割り当てられる通し番号である。
【００４３】
リムーバブル領域３０は、ホスト１１側の操作によって、フラッシュメモリにデータを記憶する一般的なＵＳＢメモリと同様に使用できる記憶領域である。メモリ制御部２１ａがフラッシュメモリ２５の記憶領域をリムーバブル領域３０として制御することにより、ホスト１１によって情報の読み出し及び書き込みが可能となる。リムーバブル領域３０には、予め付加情報３１が格納される。付加情報３１としては例えば、本ストレージデバイスの操作説明書（ＨＴＭＬ文書）や、操作説明用ビデオコンテンツが格納される。
【００４４】
ＣＤ−ＲＯＭ領域４０には、ネットワーク設定補助プログラム４２と、不正コピーチェックプログラム４４が格納される。ＣＤ−ＲＯＭ領域４０はＩＳＯ９６６０フォーマットにより構成される。ホスト１１からは、ＣＤ−ＲＯＭ領域４０はＣＤ−ＲＯＭとして認識され、ディスクドライブドライバ１３によって制御される。メモリ制御部２１ａがフラッシュメモリ２５の記憶領域をＣＤ−ＲＯＭ領域４０として制御することにより、ホスト１１によって情報の読み出しのみが可能となる。ＵＳＢストレージデバイス１７のメーカーが提供する専用のアプリケーションを使用しない限り、ホスト１１から通常の方法によってＣＤ−ＲＯＭ領域のデータを書き換えることはできない。
【００４５】
メモリ制御部２１ａは、リムーバブル領域３０とＣＤ−ＲＯＭ領域４０を、それぞれに固有のＳＣＳＩ論理ユニット番号（ＬＵＮ：Ｌｏｇｉｃａｌ  Ｕｎｉｔ  Ｎｕｍｂｅｒ）によって区別して制御する。メモリ情報記憶部２１ｃには、その制御のために各領域の論理ユニット番号、先頭アドレス、容量、ホスト１１からの書き込みの許可／不許可などの情報が格納される。
【００４６】
ネットワーク設定補助プログラム４２は、ホスト１１のネットワーク接続の設定を行うためのソフトウェアであり、例えばホスト１１がＷｉｎｄｏｗｓをＯＳとして動作する場合には、Ｗｉｎｄｏｗｓ共通ライブラリを用いて動作する。不正コピーチェックプログラム４４は、ＵＳＢストレージデバイス１７が本実施形態に係るストレージデバイスを提供するメーカーの正当品であるか否かをチェックして認証を行う認証プログラムであり、メーカーが提供する専用のライブラリ４５を用いて動作する。ＣＤ−ＲＯＭ領域４０には更に、ビジネスホテル等が提供する予め決められた通信ネットワークにホスト１１を接続するための変更後設定情報が格納される。
【００４７】
秘匿領域５０にはプロテクトキー、パスワードなどのＩＤ情報５１が格納される。秘匿領域５０は、ＵＳＢストレージデバイス１７のメーカーが提供する専用のソフトウェアによってのみ情報の読み書きが可能な記憶領域である。メモリ制御部２１ａは、ホスト１１から秘匿領域５０が認識できず、情報の読み出し及び書き込みが禁止されるように制御する。従って一般のユーザは、ホスト１１から秘匿領域５０の情報にアクセスすることは出来ない。ＣＤ−ＲＯＭ領域４０の不正コピーチェックプログラム４４は、メーカー提供ライブラリ４５を利用することによって秘匿領域５０の情報を読むことができる。
【００４８】
図３は、ネットワーク設定補助プログラム４２の構成を示す。ネットワーク設定補助プログラム４２は、自動設定部６１、自動復元部６２、ＯＳ自動認識部６３、有線／無線設定部６４、及び付加情報部６５を含む。以下では説明の便宜上、これらの各部がＵＳＢインターフェース１９を介してホスト１１によって読み取られて実行される動作は、これらの各部自身の動作として記載することがある。
【００４９】
図４は、ＵＳＢストレージデバイス１７の動作を示す。ＵＳＢストレージデバイス１７のベンダーは、ビジネスホテル等のサービス提供者に対して、その通信設定（通信ネットワークに接続するためにホスト１１に設定することが必要な情報）を予めＣＤ−ＲＯＭ領域４０に保存して、サービス提供者に貸与する。
【００５０】
ユーザは、ＰＣ等のホスト１１にログオンした状態で、そのＵＳＢポートにＵＳＢストレージデバイス１７を接続する。ＯＳ１２のオートラン機能により、ＣＤ−ＲＯＭ領域４０に格納されている不正コピーチェックプログラム４４の実行が自動的に開始される（ステップＳ１）。不正コピーチェックプログラム４４は、秘匿領域５１のＩＤ情報５１にアクセスして、ＵＳＢストレージデバイスが不正コピー品ではなく正規品であることを認証する。
【００５１】
その認証は、例えば以下のように行われる。ＩＤ情報５１とヘッダ２９に格納されたプロダクトＩＤとが一致する場合に、ＵＳＢストレージデバイス１７の使用が可能となる（ステップＳ２ＹＥＳ）。不一致である場合には、ＵＳＢストレージデバイス１７の使用が許可されない（ステップＳ２ＮＯ）。すなわち以降のネットワーク設定補助プログラム４２の動作は、不正コピーチェックプログラム４４による認証が成功したことを条件として実行される。
【００５２】
認証が成功すると、ホスト１１の表示画面に利用許諾画面が表示される（ステップＳ３）。ユーザが利用許諾を見て、承諾しないことを意思表示する入力操作を行うと、ＵＳＢストレージデバイス１７の使用が許可されない（ステップＳ４ＮＯ）。承諾することを意思表示する入力操作を行うと、ＵＳＢストレージデバイス１７の使用が可能となる（ステップＳ４ＹＥＳ）。
【００５３】
ホスト１１は、有線／無線設定部６４に記述された手順に従って、ホスト１１の通信ネットワーク環境が有線であるか無線であるかを認識する（ステップＳ５、Ｓ６）。有線である場合、変更前設定、すなわちＵＳＢストレージデバイス１７を接続する前の段階でのホスト１１の通信設定を後で復元するために保存することを示す表示が、ホスト１１の表示画面に表示される（ステップＳ７）。自動復元部６２は、ホスト１１からアクセス可能な所定のバックアップ領域、例えばホスト１１に接続されたハードディスク内にバックアップ用のファイルを生成して、その変更前設定を保存する（ステップＳ８）。ホスト１１の通信設定が無線である場合は、無線の設定情報に対応した同様の処理がなされる（ステップＳ９、Ｓ１０）。
【００５４】
ステップＳ６での動作に替えて、次のような実施形態を採用することもできる。ＵＳＢストレージデバイス１７のベンダーは、予めＣＤ−ＲＯＭ領域４０又は、リムーバブル領域３０に、通信環境が有線の場合と無線の場合の変更後設定情報を書き込んでおく。更に、いずれの変更後設定情報が有効であるかを示す有線／無線フラグもＣＤ−ＲＯＭ領域４０に保存する。その有線／無線フラグは、ベンダーがビジネスホテル等のサービス提供者にＵＳＢストレージデバイス１７を供給するときに、そのサービス提供者が有する通信環境に応じて設定される。このような動作を行うネットワーク設定補助プログラム４２により、通信環境が有線か無線かを判別する処理を必要とせず、簡易な処理で有線と無線のいずれの通信環境にも対応できる。
【００５５】
更に、ホスト１１の動作環境として動作しているＯＳ１２の種類も自動的に判別できることが望ましい。この場合、複数種類のＯＳのそれぞれに対応した変更後設定情報がＣＤ−ＲＯＭ領域４０に予め保存される。ＯＳ自動認識部６３は、ＵＳＢストレージデバイス１７がホスト１１に接続されると、ホスト１１から自動的にそのＯＳ１２の種類を示すＯＳ情報を取得する。自動設定部６１は、そのＯＳ情報に応じた変更後設定情報をＣＤ−ＲＯＭ領域４０又はリムーバブル領域３０から読み出して、ホスト１１の通信設定の変更に用いる。このような動作により、ユーザがＯＳ１２の種類を入力する手順を省略することができる。
【００５６】
自動設定部６１は、ホスト１１の通信設定を変更することをホスト１１の表示画面に表示する（ステップＳ１１）。自動設定部６１は、ホスト１１の通信設定を、予めＣＤ−ＲＯＭ領域４０又は、リムーバブル領域３０に格納された変更後設定情報に変更する（ステップＳ１２）。設定変更は、ＯＳ１２のメーカーが公開している方法によって実行する。ユーザは、ビジネスホテル等ＵＳＢストレージデバイス１７を貸与された場所において通信接続サービスを利用することができるようになる。
【００５７】
自動復元部６２は、ホスト１１の通信設定を元の設定、すなわちＵＳＢストレージデバイス１７を接続する以前の設定に戻すためのアイコンなどの復元用コマンドをホスト１１の表示画面に表示する（ステップＳ１３）。ユーザがそのコマンドを使用（アイコンを押下）すると、ホスト１１の変更後設定情報が、バックアップ領域に退避していた変更前設定情報によって上書きされる（ステップＳ１４）。その結果、ユーザは自社・自宅などの元の環境においてホスト１１を通信接続して使用することができる。
【００５８】
図５を参照して、自動復元部６２の動作をより詳細に示す。この図は、変更前設定情報のバックアップ（図４のＳ７又はＳ９）以降の動作を示す。自動復元部６２は、ホスト１１の通信設定を読み取り、それを変更前設定としてバックアップ領域に書き込む（ステップＳ２１）。ＣＤ−ＲＯＭ領域４０又は、リムーバブル領域３０に予め格納された変更後設定情報が、ホスト１１の通信設定に上書きされる（ステップＳ２２）。
【００５９】
以上の動作によってホスト１１の通信設定が自動的に変更されると共に、自動復元部６２は、ホスト１１の通信設定を元に戻すために、ホスト１１のＧＵＩ（Ｇｒａｐｈｉｃａｌ  Ｕｓｅｒ  Ｉｎｔｅｒｆａｃｅ）のデスクトップ上に復元用アイコンを作成してホスト１１の表示画面に表示し、復元用アイコンを押下する動作を待機する（ステップＳ２３）。アイコンが押下されない場合は、待機が続けられる（ステップＳ２４ＮＯ）。復元用アイコンが押下された場合は、ホスト１１の通信設定が元に戻され、ネットワーク設定補助プログラム４２の動作が終了する（ステップＳ２４ＹＥＳ）。
【００６０】
このような動作によれば、ホスト１１の通信設定の変更時に、変更前設定情報がホスト１１からアクセス可能なバックアップ領域に保存される。更に、ホスト１１の設定を復元するための自動復元部６２のプログラムがＣＤ−ＲＯＭ領域４０からホスト１１側の記憶装置にコピーされる。それと共に、ホスト１１の表示画面上に、設定を復元するためのアイコンが表示される。その結果ユーザは、ＵＳＢストレージデバイス１７をホスト１１から取り外した後や、自社や自宅に戻った後であっても、容易に元の通信設定を復元することができる。またビジネスホテル側としては、ＵＳＢストレージデバイス１７をユーザに貸与したとき、通信設定の変更が完了した時点で返却を受け、それを他のユーザに貸与することができる。
【００６１】
図６は、他の実施形態における自動復元部６２の動作を示す。この実施形態においても、ホスト１１の通信設定の変更時に、自動復元部６２のプログラムがＣＤ−ＲＯＭ領域４０からホスト１１側の記憶装置にコピーされる。ＯＳ１２はＵＳＢストレージデバイス１７の接続状態を監視する機能を有するものとする。ＵＳＢストレージデバイス１７が取り外されたことをＯＳ１２が検出すると、そのイベントをトリガーとしてホスト１１の自動復元部６２が動作を開始して、ホスト１１の通信設定を変更前設定に復元する（ステップＳ３１）。更に、通信設定が復元されたことを示すフラグ設定がなされる（ステップＳ３２）。
【００６２】
このような動作によれば、ホスト１１は、ＵＳＢストレージデバイス１７を接続している間はＣＤ−ＲＯＭ領域４０または、リムーバブル領域３０の通信設定となり、ＵＳＢストレージデバイス１７を取り外すと元の通信設定となる。そのため通信設定が直感的に分かり易い。
【００６３】
以上に説明した動作に加えて、更にオプションで他のサービスを提供することもできる。例えばリムーバブル領域３０又はＣＤ−ＲＯＭ領域４０に、ＵＳＢストレージデバイス１７の操作説明書や、サービス提供者に関連する広告などの付加情報３１を保存する。ネットワーク設定補助プログラム４２に、それらの付加情報３１にアクセスする付加情報部６５を追加する。ＵＳＢストレージデバイス１７をホスト１１に接続したときに、ＯＳ１２のオートラン機能により付加情報部６５が動作を開始する。ホスト１１にＵＳＢストレージデバイス１７が接続されると、自動的にその操作説明書などの付加情報３１が表示される。
【００６４】
付加情報３１はＣＤ−ＲＯＭ領域４０に格納してもよい。しかし操作説明書や広告を頻繁に書き換えたい場合は、リムーバブル領域３０に書き込んでおいた方がアップデートを容易に行うことができる。
【００６５】
更に、サービス提供者側に予め登録した会員にのみ特別なサービスを提供することもできる。例えば、ビジネスホテル等のサービス提供者が、ユーザに対して予めユーザＩＤ情報とパスワードとを発行する。そのユーザＩＤ情報をＣＤ−ＲＯＭ領域４０に書き込むことにより、個別のユーザに専用のＵＳＢストレージデバイス１７を用意する。ＵＳＢストレージデバイス１７は、そのユーザＩＤ情報によって個別に特定される。この場合、ネットワーク設定補助プログラム４２は、ウェブページ閲覧部を更に含む。
【００６６】
ユーザが宿泊する場合、ホテルは専用ＵＳＢストレージデバイス１７を貸与する。ユーザがそれをホスト１１に接続すると、図４で説明した自動設定が行われる。それと共に、ウェブページ閲覧部は、会員用のウェブページにログインするための画面をホスト１１に表示する。そのログイン画面のユーザＩＤ情報を入力する欄には、ＣＤ−ＲＯＭ領域４０に保存されたユーザＩＤが自動的に書き込まれる。ユーザは、ログイン画面のパスワード入力欄にパスワードを入力するだけで、会員専用のウェブページにアクセスすることが可能となる。
【００６７】
以上では、ビジネスホテルの宿泊客にＵＳＢストレージデバイス１７を提供する例を挙げて説明したが、他の用途に用いることも可能である。例えば無線ＬＡＮ等のアクセスポイントにおけるセキュリティ向上のためにＵＳＢストレージデバイス１７を用いることができる。
【００６８】
例えばある会社の敷地内に、取引先の人などが使用できるように無線ＬＡＮのアクセスゾーンが提供されている場合がある。そのような状況では、今後、不特定多数の人が使用できる公衆無線ＬＡＮのアクセスポイントと比べて、セキュリティの観点から使用権を制限したい場合が生じてくると考えられる。
【００６９】
そのようなアクセスポイントを使用するために、予め届け出た個々のユーザに対して、個別にユーザＩＤやパスワードを発行する。ベンダーはその情報をＵＳＢストレージデバイス１７の秘匿領域５０に保存して、ユーザに渡す。ＣＤ−ＲＯＭ領域４０にはユーザ認証プログラムが予め格納される。
【００７０】
ユーザは、アクセスポイントにおいてノートパソコンなどのホスト１１にＵＳＢストレージデバイス１７を接続する。オートラン機能によりユーザ認証プログラムの動作が開始する。ユーザ認証プログラムは、秘匿領域５０にアクセスして、ユーザＩＤとパスワードとを読み出して、アクセスポイントの提供者側装置に送信する。提供者側装置は、そのユーザＩＤとパスワードとに基づいて認証を行う。認証が成功すると、ユーザのホスト１１はアクセスポイントを通じた通信が可能となる。ユーザはＵＳＢストレージデバイス１７をホスト１１に接続するだけで容易にアクセスポイントの通信環境を利用することができる。一方、ＵＳＢストレージデバイス１７の提供を受けていない者はアクセスポイントの利用ができなくなる。
【００７１】
更に他の実施形態として、ＵＳＢストレージデバイス１７を、ユーザが通信回線を契約する際の設定に用いることができる。ユーザは、契約書などにより、ＩＳＰ（Ｉｎｔｅｒｎｅｔ  Ｓｅｒｖｉｃｅ  Ｐｒｏｖｉｄｅｒ）と通信回線の契約を結ぶ。ＩＳＰ側は、その契約内容に基づいて、適切な通信ネットワークの設定をするための情報をＣＤ−ＲＯＭ領域４０に書き込んで、手渡しや郵送などによってＵＳＢストレージデバイス１７をユーザに提供する。ユーザはホスト１１を通信回線に接続する際に、そのＵＳＢストレージデバイス１７を自己が所有するＰＣなどのホスト１１のＵＳＢポートに接続する。ネットワーク設定補助プログラム４２は、オートラン機能によりホスト１１の通信設定を自動的に行う。本実施形態の場合、図３に示した自動復元部６２は必要でない。
【符号の説明】
【００７２】
１１  ホスト
１２  オペレーションシステム
１３  ディスクドライブドライバ
１４  ＵＳＢマスストレージクラスドライバ
１５  ＵＳＢホストコントローラ
１６  ＵＳＢバス
１７  ＵＳＢストレージデバイス
１９  ＵＳＢインターフェース
１９ａ  パケット送受信部
１９ｂ  シリアルパラレル変換部
１９ｃ  パケット生成分解部
１９ｄ  ＵＳＢバスパワー制御部
２１  コントローラ
２１ａ  メモリ制御部
２１ｂ  ＵＳＢインターフェース制御部
２１ｃ  メモリ情報記憶部
２１ｄ  ＬＥＤ制御部
２３  ＬＥＤ
２５  フラッシュメモリ
２９  ヘッダ
３０  リムーバブル領域
４０  ＣＤ−ＲＯＭ領域
３１  付加情報
４２  ネットワーク設定補助プログラム
４３  Ｗｉｎｄｏｗｓ共通ライブラリ
４４  不正コピーチェックプログラム
４５  メーカー提供ライブラリ
５０  秘匿領域
５１  ＩＤ情報
【図１】
0005608484.tif 000002
【図２】
0005608484.tif 000003
【図３】
0005608484.tif 000004
【図４】
0005608484.tif 000005
【図５】
0005608484.tif 000006
【図６】
0005608484.tif 000007